(57)【要約】例えばＴＶセットやモニターに適したディスプレイは、ハウジング（１）及びピクチャーディスプレイユニット、特に受像管（３）を有している。ハウジングは、ウィンドウ（ｗ）を有し、ハウジングにより取り囲まれているピクチャーディスプレイユニットは、ウィンドウに平行に配列されているフロントフェース（３ｂ）を有している。フラッシュルックを得るべく、ウィンドウは、ハウジングの透過性壁部分（１ａ）で形成されている。
2005517985.tif 000002
【特許請求の範囲】
【請求項１】
ハウジング及びピクチャーディスプレイユニットを有するディスプレイ装置であって、
前記ハウジングは、ウィンドウを有し、
前記ハウジングに取り囲まれている前記ピクチャーディスプレイユニットは、前記ウィンドウに実質的に平行に配列されたフロントフェースを有し、且つ
前記ウィンドウは、前記ハウジングの透過性壁部分で形成されている、
ことを特徴とするディスプレイ装置。
【請求項２】
前記透過性壁部分は、前記ハウジングの前記壁構造の一体型部分であることを特徴とする請求項１に記載のディスプレイ装置。
【請求項３】
前記ハウジングは、ワン・ピース成形物であることを特徴とする請求項２に記載のディスプレイ装置。
【請求項４】
前記ハウジングは、射出成形製品であることを特徴とする請求項１に記載のディスプレイ装置。
【請求項５】
少なくとも前記透過性部分を含む前記壁構造の一部は、透過性材料で製造されており、前記壁構造の残りの部分は、透過性をあまり有さない材料又は非透過性の材料で製造されていることを特徴とする請求項２に記載のディスプレイ装置。
【請求項６】
前記ハウジングは、透過性材料で製造されており、
前記透過性壁部分を除く前記壁構造は、非透過性被覆材料の存在により半透明であることを特徴とする請求項２に記載のディスプレイ装置。
【請求項７】
前記ピクチャーディスプレイユニットのフロントフェース及び前記ハウジングの前記透過性壁部分は平坦であることを特徴とする請求項１に記載のディスプレイ装置。
【請求項８】
請求項１に記載のディスプレイ装置を設けたＴＶセット。
【請求項９】
請求項１に記載のディスプレイ装置を設けたモニター。
【発明の詳細な説明】
【技術分野】
【０００１】
本発明は、例えばテレビセットやモニターなどの適したディスプレイ装置に関する。このディスプレイ装置は、ハウジング及び受像管などのピクチャーディスプレイユニットを有している。ハウジングは、ウィンドウを有し、ピクチャーディスプレイユニットは、ハウジングに取り巻かれており、ウィンドウに実質的に平行に配列されたフロントフェースを有している。
【背景技術】
【０００２】
特許文献１は、平坦なフェースプレートを有するＣＲＴバルブ（ｂｕｌｂ）を設けられたディスプレイ装置を開示しており、且つ、フェースプレートを除くバルブを包含するためのキャビネットを開示している。このバルブは、キャビネットに固定されている。一つの形において、透過性のフラットパネルは、フェースプレートの上に重ね合わされ、これに固定されている。キャビネットは、フラットパネルの外部表面の平面を超えて延びないように構成され且つ配置されている。他の形では、フラットパネルが使用されていない場所で、キャビネットは、フェースプレートの前表面の平面を超えて延びないように構成され且つ配置されている。両方のバージョンにおいて、キャビネットはオープンウィンドウを有している。このウィンドウにおいて、上記の管に固定されたフラットパネルは、開口していても開口していなくてもよい。かかるフラットパネルを有さないディスプレイ装置の欠点は、抗グレア（ａｎｔｉ−ｇｌａｒｅ）手段及び／又は抗静電気（ａｎｔｉ−ｓｔａｔｉｃ）手段を有していないことである。さらに、上記の管の周囲に延びるギャップは、管とキャビネットとの間に存在している。さらに、装置の前面上に、管の内破に対抗する防御を有していない。フェースプレートを設けられた公知のディスプレイ装置もギャップを有しており、この場合、フェースプレートと周囲を取り巻くキャビネットとの間に延びている。ギャップは常に、安全性、製造及びデザインなどに関する問題をもたらしている。
【特許文献１】米国特許第５，２２４，６８４号明細書
【発明の開示】
【発明が解決しようとする課題】
【０００３】
本発明の目的は、ハウジングとピクチャーディスプレイユニットとの組み合わせにより、安全性、頑丈性、魅力ある実体を形成するディスプレイ装置を提供することである。
【課題を解決するための手段】
【０００４】
この目的は、本発明に従ったディスプレイ装置により達成される。ディスプレイ装置は、ハウジングとピクチャーディスプレイユニットを有し、ハウジングはウィンドウを有し、ピクチャーディスプレイユニットは、ウィンドウに実質的に平行に配列されたフロントフェースを有し、ウィンドウは、ハウジングの透過性壁部分から形成されている。この装置において、ピクチャーディスプレイユニットの視覚可能フロントフェースは、ハウジングに完全に包含されており、ピクチャーディスプレイユニットのフロントフェースは、表示される画像が視覚可能となることを確実とするように、ウィンドウを形成する光学的に透明なハウジング部分を介して視覚することができる。ウィンドウの平面に配置された透過性を有する壁部分は、好ましくは抗反射性を有している。完全なフラッシュルック（ｆｌｕｓｈ  ｌｏｏｋ）が、キャビネットの一部でもよいハウジングの前部に沿って得られるので、ピクチャーディスプレイユニットとハウジングとの間のギャップに関連した問題は起こらず、向上された安全性及び向上されたハウジングの構造的強度などの利点をもたらす。さらに、本発明による装置は、興味深いフロント部分を有しており、重量を抑えるべく、ピクチャーディスプレイユニットのフロントの厚みを減少することを可能としている。このピクチャーディスプレイユニットは、陰極線管、液晶ディスプレイ、プラズマディスプレイや他のビデオディスプレイユニットなどであってもよい。本発明による装置は、ＴＶセットやモニターなどに適用されてもよい。
【０００５】
本発明による装置に関する実施例は、その透過性の壁部分がハウジングの壁構造の一体化された部分であることを特徴とする。ハウジングは、好ましくワン・ピース（ｏｎｅ−ｐｉｅｃｅ）のハウジングである。
【０００６】
本発明による装置のハウジングは、射出成形工程により好ましく製造される。かかる工程において、上述の透過性の壁部分は、透過性材料で製造され、熱可塑性材料であってもよく、好ましくは、ＨＩＰＳ、ＡＢＳやＰＣ−ＡＢＳ製であり、ハウジングの他の壁部分は、適合性を有し、非透過性又は若干の透過性を有する、ＨＩＰＳ、ＡＢＳやＰＣ−ＡＢＳ製などの熱可塑性樹脂を射出することにより形成されてもよい。代替的な形態において、ハウジング全体は、透過性材料で製造され、ウィンドウ部分を除いた上記の壁は、塗装工程を用してもよい、ＰＣ、ＡＢＳやＰＣ−ＡＢＳなどの、適切な材料の非透過性コーティングにより、不透明性が与えられる。この意味において、本発明によるディスプレイ装置の実施例は、請求項５及び６に規定している。
【０００７】
本発明の装置に関する非常に興味深い実施例は、ピクチャーディスプレイユニットのフロントフェース及びハウジングのウィンドウを形成する透過性の壁部分が平坦であることを特徴とする。この実施例において、フラットなフラッシュルックが達成されている。
【０００８】
また、本発明は、本発明のディスプレイ装置を設けられたＴＶセット又はモニターにも関する。
【０００９】
請求項に対する説明に関して記すべきことは、請求項に規定された種々の特徴的な性質は、組み合わせて得られてもよい、ということである。
【００１０】
以下に述べる実施例に対する説明と共に、本発明の上述の面及びその他の面を、非限定的な例により明らかにし且つ詳述する。
【発明を実施するための最良の形態】
【００１１】
図１及び２に示したディスプレイ装置は、ハウジング１、受像管３の形態で、ハウジング１に取り囲まれており、フロントフェース３ｂを形成するフラットなピクチャースクリーン３ａを有するピクチャーディスプレイユニットを有している。キャビネット５の一部であるハウジング１は、ピクチャースクリーン３ａの反対側に延びるウィンドウｗを形成するフラットで透過性を有する壁部分１ａを有している。この透過性を有する壁部分１ａは、ハウジングの他の非透過性壁部分１ｂと一体型壁構造を形成している。このワン・ピースの壁構造は、射出成形工程によりＨＩＰＳで製造されており、この装置の平坦なフロント側に沿った完全なフラッシュルックを提供している。
【００１２】
図３に示したディスプレイ装置は、ハウジング１１を有するキャビネット１５を備え、さらに、視野スクリーン１３ａを有するピクチャーディスプレイユニットを備えている。このピクチャーディスプレイユニットは、キャビネット１５により包含されており、ハウジング１１は、スクリーン１３ａを取り囲んでいる。透過性のハウジング１１は、透過性のＡＢＳで製造された射出成形された壁構造であって、視野スクリーン１３ａに向かい合う透過性壁部分１１ａを有し、ウィンドウを形成しており、且つ、壁部分１１ａにより形成されたウィンドウｗを除いた壁構造を塗装することにより得られた半透明の壁部分１１ｂを形成している。
【００１３】
図面に示したディスプレイ装置は、ＴＶセットやモニターに使用されてもよい。本発明は、開示した実施例に限定されるものでない。本発明の範囲内で、ワン・ピースの射出鋳造されたハウジングを適用することに変えて、例えば、複数の部品からハウジングを構築することも可能である。また、例えばビルドインにて適用する場合、キャビネットを有していなくてもよい。さらに、種々の種類のピクチャーディスプレイユニットは、本願明細書に述べたように形成されたウィンドウと組み合わせて適用されてもよい。
【図面の簡単な説明】
【００１４】
【図１】本発明によるディスプレイ装置の第１実施例に関する斜視図である。
【図２】第１実施例の図１に示したＩ−Ｉに沿った概略的な断面図である。
【図３】本発明によるディスプレイ装置の第２実施例に関する斜視図である。
【図１】
2005517985.tif 000003
【図２】
2005517985.tif 000004
【図３】
2005517985.tif 000005
【国際調査報告】
2005517985.tif 000006
2005517985.tif 000007
2005517985.tif 000008